(57)【要約】【課題】放熱性がよくて騒音の小さいディスプレイ装置を提供すること。【解決手段】ディスプレイパネルが内蔵されたケース（５０）の放熱のために横流ファン（７２）を備える。横流ファンの回転時に横流ファンによる強制流動がケースの構造に好適に形成されるようにし、さらには横流ファンをケースの幅方向に配置する。それによって横流ファンによる強制流動がケース内の自然対流による流動と同じ方向になり放熱がよい。【選択図】図７
2006189850.tif 000002
【特許請求の範囲】
【請求項１】
ディスプレイパネルが内蔵されたケースと、
前記ケース内の空気を吸入して前記ケースの外部に排出させる横流ファンと、
を備えて構成されたことを特徴とするディスプレイ装置。
【請求項２】
前記ディスプレイパネルは、平板型ディスプレイパネルであることを特徴とする請求項１に記載のディスプレイ装置。
【請求項３】
前記ケースは、厚さが幅よりも相対的に小さく形成されたことを特徴とする請求項１に記載のディスプレイ装置。
【請求項４】
前記横流ファンは、その軸が前記ケースの幅方向となるように配置されたことを特徴とする請求項１に記載のディスプレイ装置。
【請求項５】
前記横流ファンを駆動させる横流ファンモーターがさらに備えられ、該横流ファンモーターは、前記横流ファンの軸方向に前記横流ファンと一列に設置されたことを特徴とする請求項１に記載のディスプレイ装置。
【請求項６】
ディスプレイパネルが内蔵され、空気排出部が形成されたケースと、
前記ケースの内部空気が前記ケースの上方に向かって吸入されるようにし、前記吸入された空気を前記ケースの空気排出部に排出させる送風機と、
を備えて構成されたことを特徴とするディスプレイ装置。
【請求項７】
前記ディスプレイパネルは、平板型ディスプレイパネルであることを特徴とする請求項６に記載のディスプレイ装置。
【請求項８】
前記ケースの空気排出部は、前記ケースの上側部に形成されたことを特徴とする請求項６に記載のディスプレイ装置。
【請求項９】
前記送風機は、前記ケース内の上側部に設置されたことを特徴とする請求項６に記載のディスプレイ装置。
【請求項１０】
前記送風機は、横流ファンを備えることを特徴とする請求項６に記載のディスプレイ装置。
【発明の詳細な説明】
【技術分野】
【０００１】
本発明は、ディスプレイ装置に係り、特に、薄くて広い構造のケース内部に横流ファンが設けられることによって、薄くて広い構造のケースに好適な放熱がなされるディスプレイ装置に関する。
【背景技術】
【０００２】
一般に、ディスプレイ装置は、文字、イメージなどの映像を表示するための装置で、陰極線管(Cathode Ray Tube）と、該陰極線管よりも小さい重さとボリュームを有する平板表示装置とに大別される。
【０００３】
平板表示装置に用いられるディスプレイパネルには、液晶表示パネル(Liquid Crystal Display：ＬＣＤ）、電界放出表示パネル(Field Emission Display：ＦＥＤ）、プラズマディスプレイパネル(Plasma Display Panel：以下、“ＰＤＰ”という。）、及びエレクトロルミネセンス(Electro-Luminescence：ＥＬ)表示パネルなどが挙げられる。
【０００４】
なかでも、ＰＤＰは、プラズマ放電を用いて画像を表示するもので、速い応答速度を有するとともに、大面積の画像を表示するのに向いていることから、近来、高解像度テレビ、モニタ及び屋内／外広告用のディスプレイ装置に多く使用されている。
かかるディスプレイ装置は、ディスプレイパネル及びディスプレイパネルの駆動電装部品などにより高温の熱が生じるため、放熱性によって性能が変る。
【０００５】
図１は、従来の技術に係るディスプレイ装置を示す斜視図で、図２は、従来の技術に係るディスプレイ装置を示す背面図で、図３は、従来の技術に係るディスプレイ装置を示す側面図である。
【０００６】
図１乃至図３に示すディスプレイ装置は、通常、ディスプレイパネルの内蔵されたケース２が薄くて広い略箱形状に形成される。
このようなケース２には、その内部の放熱のために、外部空気がケース２の内部に流入する空気流入部３と、内部の空気が外部に排出される空気排出部４がそれぞれ形成される。
ケース２の空気流入部３は、ケース２の下側部に複数個形成され、ケース２の空気排出部４は、ケース２の上側部に複数個形成されている。
また、ケース２の内部には、その内部の放熱が円滑にできるように送風機１０が装着される。
【０００７】
送風機１０は、軸流ファン１２と、軸流ファン１２を回転させる軸流ファンモーター（図示せず）とからなる。
軸流ファン１２は、ケース２が薄くて広い構造となっていることから、通常、軸流ファン１２の軸がケース２の前後方向に配置され、少なくとも２以上で構成される。
軸流ファンモーターは、軸流ファン１２とケース２の前後方向に配列され、軸流ファン１２に直結されたり、軸流ファン１２の上側または下側などに配置されてプーリー・ベルト方式などで間接的に連結される。
【０００８】
上記のように構成されたディスプレイ装置は、外部空気がケース２の空気流入部３からケース２の内部に流入し、ケース２の内部空気がケース２の空気排出部４から外部に排出されることによって放熱される。
特に、軸流ファンモーターの駆動力により前記軸流ファン１２が回転する場合、軸流ファン１２により強制流動が形成されることから、ケース２の内部が円滑に放熱される。
【０００９】
しかしながら、上記の従来のディスプレイ装置は、ケース２の内部が均一に放熱されるように軸流ファン１２が多数個構成されるため、ケース２の内部構造が複雑になるだけでなく、全体大きさが増大し、製造コストの上昇につながるという問題点があった。
【００１０】
また、上記の如く複数個の軸流ファン１２が設けられるにも関わらず、軸流ファン１２による送風が十分に届かないデッドゾーン（DEAD ZONE）が発生する構造であるがゆえに、放熱性に劣るという問題点があった。
【００１１】
また、軸流ファン１２による強制流動と自然対流による流動衝突、及び多数個の軸流ファン１２による強制流動間の衝突などによって流動抵抗が大きいため、放熱性に劣り、且つ、騒音発生が大きいという問題点があった。
【００１２】
なお、軸流ファン１２が複数個備えられ、それだけケース２の空気流入部３及び空気排出部４も相当広く形成されるため、ケース２内の駆動電装部品の騒音が直接放射されるという問題点があった。
【００１３】
しかも、軸流ファン１２と軸流ファンモーターとが直結されると、ケース２の厚さが増加する問題につながり、軸流ファン１２と軸流ファンモーターとが間接連結されると、ケース２の厚さは相対的に減るが、軸流ファン１２と軸流ファンモーターとの連結構造がより複雑となり、コストアップを招くという問題点があった。
【発明の開示】
【発明が解決しようとする課題】
【００１４】
本発明は上記の問題点を解決するためのもので、その目的は、ケース内部が放熱されるように横流ファンを設けることによって、一つの横流ファンだけでも十分な放熱ができる他、ケースの大きさ（特に、厚さ）を最小化できるディスプレイ装置を提供することにある。
【００１５】
本発明の他の目的は、横流ファンをケース内の上側部に設け、横流ファンにより強制流動を自然対流による流動と順方向とすることによって、放熱性を極大化するとともに、騒音が最小限に抑えられるディスプレイ装置を提供することにある。
【００１６】
本発明のさらに他の目的は、横流ファンを回転させる横流ファンモーターが横流ファンと直結される場合でもケースの大きさ（特に、厚さ）を最小化できるディスプレイ装置を提供することにある。
【課題を解決するための手段】
【００１７】
請求項１の発明は、上記目的を達成するために、本発明に係るディスプレイ装置は、ディスプレイパネルが内蔵されたケースと、前記ケース内の空気を吸入して前記ケースの外部に排出させる横流ファンと、を備えて構成されたことを特徴とするディスプレイ装置が提供される。
【００１８】
請求項２の発明では、請求項１の発明において前記ディスプレイパネルは、平板型ディスプレイパネルとされる。
請求項３の発明では、前記ケースは、厚さが幅よりも相対的に小さく形成される。
請求項４の発明では、前記横流ファンは、その軸が前記ケースの幅方向となるように配置される。
請求項５の発明では、前記横流ファンを駆動させる横流ファンモーターがさらに備えられ、該横流ファンモーターは、前記横流ファンの軸方向に前記横流ファンと一列に設置されている。
【００１９】
請求項６の発明では、ディスプレイパネルが内蔵され、空気排出部が形成されたケースと、前記ケースの内部空気が前記ケースの上方に向かって吸入されるようにし、前記吸入された空気を前記ケースの空気排出から排出させる送風機とを備えて構成されることを特徴とするディスプレイ装置が提供される。
【００２０】
請求項７の発明では、請求項６の発明において前記ディスプレイパネルは、平板型ディスプレイパネルとされる。
請求項８の発明では、請求項６の発明において前記ケースの空気排出部は、前記ケースの上側部に形成される。
請求項９の発明では、請求項６の発明において前記ケース内の上側部に設置される。
請求項１０の発明では、請求項６の発明において前記送風機は、横流ファンを備える。
【発明の効果】
【００２１】
本発明によるディスプレイ装置は、ケースの内部空気が外部に放熱できるように横流ファンが備えられるため、該横流ファンによる強制流動が広く形成され、ケース内部が均一に放熱される等、放熱性が向上するという効果が得られる。
【００２２】
また、横流ファンが一つだけ備えられてもケース内部の放熱が十分になされるため、構造の簡素化、全体大きさの最小化及び製造コストの節減が図られ、流動衝突による騒音及び流動抵抗が最小限に抑えられ、かつ、ケースの空気流入部及び空気排出部の面積が従前よりも減少することから騒音放射が低減するという効果が得られる。
【００２３】
また、横流ファンがケース内の上側部に設けられるため、該横流ファンによる強制流動が自然対流による流動と順方向に形成され、騒音低減及び放熱性向上の効果が極大化する。
【００２４】
また、横流ファンを駆動させる横流ファンモーターと横流ファンとが直結されてもケースが最小厚さに形成できる他、構造の簡素化及び製造コストの節減効果が極大化する効果が得られる。
【００２５】
また、ケースの上面の少なくとも後方部位がケースの前面から背面に向かって下向きに傾斜し、該ケースの下向き傾斜した上面にケースの空気排出部が形成されるため、ケースの空気排出部から排出される空気をケースの後方に向かわせることが可能になる。
【発明を実施するための最良の形態】
【００２６】
以下、添付の図面に基づき、本発明に係るディスプレイ装置の好適な実施形態について説明する。
ただし、本発明によるディスプレイ装置は、陰極線管や平板表示装置のいずれかであっても良いが、以下の詳細説明では、最近ディスプレイ装置に多く使用されているＰＤＰなど、平板型ディスプレイパネルが組み込まれた平板表示装置を挙げて説明するものとする。
【００２７】
図４は、本発明の第１実施形態によるディスプレイ装置を示す斜視図で、図５は、図４に示す構成要素が一部切欠された斜視図で、図６は、図４のディスプレイ装置を示す背面図で、図７は、図４のディスプレイ装置を示す側面図である。
【００２８】
図４乃至図７に示すディスプレイ装置は、ＰＤＰなどのような平板型ディスプレイパネル６０が内蔵されたケース５０が、薄くて広い略箱形状に形成されている。
すなわち、ケース５０は、ケース５０の前後方向の長さである厚さ５１が、ケース５０の左右方向長さである幅５２に比べて小さく形成される。
【００２９】
また、ケース５０は、その上面の少なくとも後方部位５０’が、ケース５０の前面から背面に向かって下向き傾斜した構造となっている。
また、ケース５０は、その下面の少なくとも後方部位５０”が、ケース５０の前面から背面に向かった上向き傾斜した構造となっている。
【００３０】
また、ケース５０には、ケース５０の内部放熱のために空気が通じるように穴が形成される。
このケース５０に形成される穴は、外部空気がケース５０内に流入する空気流入部５４と、ケース５０の内部空気が外部に排出される空気排出部５５とからなる。
【００３１】
ケース５０の空気流入部５４は、ケース５０の下側部に形成されている。
すなわち、ケース５０の空気流入部５４は、ケース５０の背面下部に形成されている。
また、ケース５０の空気流入部５４は、ケース５０の下面の少なくとも後方部位５０”がケース５０の置かれている床から離れるので、このケース５０の下面の少なくとも後方部位５０”に形成されても良い。
【００３２】
また、ケース５０の空気流入部５４は、ケース５０の左右方向に長く形成される単一のものであっても良く、図示の如くケース５０の左右方向に並んで配列される複数のものであっても良い。
また、ケース５０の空気流入部５４は、外部の異物がケース５０の内部に流入するのを防ぐよう、多数の穴からなるグリル構造またはメッシュ構造とすることが望ましい。なお、ケース５０の空気流入部５４には、異物流入防止のためのフィルタが搭載されることができる。
【００３３】
ケース５０の空気排出部５５は、ケース５０の上側部に形成されている。
特に、ケース５０の空気排出部５５は、ケース５０の上面の少なくとも後方部位５０’に形成されることから、ケース５０の空気排出部５５から排出される空気をケース５０の後方に向かわせることができる。
【００３４】
また、ケース５０の空気排出部５５は、図示してはいないが、ケース５０の左、右側面の上側部にさらに形成されても良い。
このケース５０の空気排出部５５は、図示の如くケース５０の左右方向に長く形成された単一のものであっても良く、ケース５０の左右方向に並んで配列された複数のものであっても良い。
【００３５】
そして、ケース５０の空気排出部５５は、外部の異物がケース５０の内部に流入するのを防ぐよう、多数の穴からなるグリル構造またはメッシュ構造とすることが望ましい。なお、ケース５０の空気排出部５５には、異物流入防止のためのフィルタが搭載されることができる。
【００３６】
一方、ケース５０の内部には、内部の円滑な放熱のために、強制流動を発生させる送風機７０が備えられる。
送風機７０は、ケース５０の内部で回転しながら強制流動を発生させる横流ファン７２と、この横流ファン７２を回転させる横流ファンモーター７４とで構成される。
【００３７】
横流ファン７２は、その軸方向に配列された複数枚の横流ファンプレート７１と、これら横流ファンプレート７１間にそれぞれ複数枚が放射状に配列された横流ファンブレード７３とからなる。
このような横流ファン７２は、ケース５０の内部空気が上方に向かって横流ファン７２に吸入されるよう、その軸がケース５０の幅方向、すなわちケース５０の左右方向に配置されている。
また、横流ファン７２は、横流ファン７２による強制流動がケース５０内部の隅々にまで及ぶよう、ケース５０の上側部に配置されることが望ましい。
【００３８】
横流ファンモーター７４は、前記横流ファン７２に直接連結されたり、プーリー・ベルト方式などで間接連結されても良いが、以下では横流ファン７２と直結される場合について説明する。
横流ファン７２と直結される横流ファンモーター７４は、横流ファン７２の軸方向に横流ファン７２と一列に配列される。
ここで、横流ファンモーター７４は、横流ファン７２の左右両側に設けられても良く、図示の如く横流ファン７２の左側または右側に一つのみ設けられても良い。
【００３９】
一方、送風機７０は、横流ファン７２の外側に設けられ、空気流動を導く役割を担う横流ファンハウジング７６をさらに備えることができる。
すなわち、横流ファンハウジング７６は、ケース５０の内部空気が横流ファン７２に吸入されるようにし、横流ファン７２に吸入された空気がケース５０の空気排出部５５から排出されるようにする。
【００４０】
次に、上記のように構成された本発明の第１実施形態によるディスプレイ装置の放熱作用について説明する。
ケース５０内部に自然対流による流動が形成されることから、外部の空気がケース５０の内部に流入し、同時にケース５０の内部空気がケース５０外に排出される。
この場合、横流ファンモーター７４が駆動すると、横流ファンモーター７４の駆動力により横流ファン７２が回転しながらケース５０の内部に横流ファン７２による強制流動が形成され、ケース５０の内部がより円滑に放熱される。
すなわち、ケース５０の外部空気がケース５０の空気流入部５４からケース５０内部に強制流入する一方、ケース５０の内部空気はケース５０の上方に向かって横流ファン７２に吸入され、続いて横流ファン７２から空気排出部５５を通って外部に強制排出される。
【００４１】
このような本発明の第１実施形態によるディスプレイ装置は、横流ファン７２による強制流動が、ケース５０の幅方向に広く形成されるとともに、ケース５０内の自然対流による流動と順方向に形成され、かつ、横流ファン７２がケース５０の上側部に配置されるため、ケース５０の内部が円滑に放熱されるだけでなく、流動衝突による騒音も大きくない。
【００４２】
また、横流ファン７２と横流ファンモーター７４が直結されるため、構造が簡素化及びそれによる製造コストの節減が図られる。しかも、横流ファン７２と横流ファンモーター７４が直結されてもケース５０の大きさ（特に、厚さ）が大きく影響を受けない。
また、単一の横流ファン７２が備えられたため、ケース５０の空気排出部５５の面積が従来に比べて減り、ケース５０の内部騒音の放射が減少する。
【００４３】
図８は、本発明の第２実施形態によるディスプレイ装置を示す背面図である。
本発明の第２実施形態では、ディスプレイパネルの内蔵されたケース１００の背面下側部に空気流入部１０１が形成され、ケース１００の上面に空気排出部１０２が形成され、ケース１００の内部下側部に複数の横流ファン１１０，１１２、及びこれら横流ファン１１０，１１２を回転させる横流ファンモーター１１４が備えられている。
【００４４】
複数個の横流ファン１１０，１１２は、２個に限定されず、それ以上の個数にしても良いが、ここでは２個にした場合について説明する。
２個の横流ファン１１０，１１２は、ケース１００の左右方向に並んで配置され、それぞれの横流ファン１１０，１１２の軸がケース１００の左右方向となるようにする。
【００４５】
横流ファンモーター１１４は、１つ設けられてもよく、２つ以上設けられても良いが、ここでは１つ設けられる場合について説明する。
１つの横流ファンモーター１１４は、２個の横流ファン１１０，１１２を一緒に回転させるよう、２個の横流ファン１１０，１１２の間に配置される。
【００４６】
上述した本発明の第２実施形態による構成部品以外の構成は、前述の本発明の第１実施形態の構成と同様なのでその詳細説明は省略する。
また、上記のように構成された本発明の第２実施形態によるディスプレイ装置は、本発明の第１実施形態と略同様に放熱される。
【００４７】
図９は、本発明の第３実施形態によるディスプレイ装置を示す背面図である。
本発明の第３実施形態では、ディスプレイパネルの内蔵されたケース１５０の背面左側部に空気流入部１５１が形成され、ケース１５０の背面右側部に空気排出部１５２が形成され、ケース１５０の内部右側部に横流ファン１６０が設けられ、ケース１５０の内部に横流ファン１６０と間接的に連結されて横流ファン１６０を回転させる横流ファンモーター１６２が設けられている。
横流ファンモーター１６２は、横流ファン１６０の左側に配置され、プーリー・ベルト１６３などを介して横流ファン１６０に連結されることができる。
上述した本発明の第３実施形態による構成部品以外の構成は、本発明の第１実施形態の構成と同様なのでその詳細説明は省略する。
【００４８】
上記のように構成された本発明の第３実施形態によるディスプレイ装置は、横流ファン１６０による強制流動がケース１５０の上下方向に広く形成されるため、放熱性が良く、従来よりも騒音が減少し、且つ、構造の簡素化及びそれによる製造コストの節減が図られる。
【００４９】
図１０は、本発明の第４実施形態によるディスプレイ装置を示す背面図である。
本発明の第４実施形態では、ディスプレイパネルの内蔵されたケース２００の背面下側の一隅部に空気流入部２０１が形成され、これと対角方向に向かい合うケース２００の背面上側の隅部に、空気排出部２０２が形成され、空気流入部２０１及び空気排出部２０２がそれぞれ形成された隅部以外の残り２隅部がなす対角線方向に、ケース２００の内部に横流ファン２１０が設けられる。
【００５０】
また、ケース２００の内部には、横流ファン２１０を回転させる横流ファンモーター２１２，２１４が設けられる。
横流ファンモーター２１２，２１４は、横流ファン２１０の軸方向に、横流ファン２１０の両端にそれぞれ配置される。
上述の本発明の第４実施形態による構成部品以外の構成は、本発明の第１実施形態の構成と同様なのでその詳細説明は省略する。
【００５１】
上記のように構成された本発明の第４実施形態によるディスプレイ装置は、横流ファン２１０による強制流動がケース２００の対角線方向に広く形成されるため、放熱性が良く、従来よりも騒音が減少し、かつ、構造の簡素化及びそれによる製造コストの節減が図られる。
【図面の簡単な説明】
【００５２】
【図１】従来の技術に係るディスプレイ装置を示す斜視図である。
【図２】従来の技術に係るディスプレイ装置を示す背面図である。
【図３】従来の技術に係るディスプレイ装置を示す側面図である。
【図４】本発明の第１実施形態によるディスプレイ装置を示す斜視図である。
【図５】図４の一部切欠斜視図である。
【図６】図４のディスプレイ装置を示す背面図である。
【図７】図４のディスプレイ装置を示す側面図である。
【図８】本発明の第２実施形態によるディスプレイ装置を示す背面図である。
【図９】本発明の第３実施形態によるディスプレイ装置を示す背面図である。
【図１０】本発明の第４実施形態によるディスプレイ装置を示す背面図である。
【符号の説明】
【００５３】
５０    ケース
５４    空気流入部
５５    空気排出部
６０    ディスプレイパネル
７０    送風機
７２    横流ファン
７４    横流ファンモーター
７６    横流ファンハウジング
【図１】
2006189850.tif 000003
【図２】
2006189850.tif 000004
【図３】
2006189850.tif 000005
【図４】
2006189850.tif 000006
【図５】
2006189850.tif 000007
【図６】
2006189850.tif 000008
【図７】
2006189850.tif 000009
【図８】
2006189850.tif 000010
【図９】
2006189850.tif 000011
【図１０】
2006189850.tif 000012